(57)【要約】      （修正有）【課題】室内の明るさと温度を調節することができるとともに、視覚効果の良好な関板式省エネ調光ガラスを提供する。【解決手段】関板式省エネ調光ガラスは、中空ガラスを備え、中空ガラスには遮光部４と光通過部２とが設けられている。更に、中空ガラスの中（内部）には、遮光部と光通過部との間を往復移動可能な遮光関板３が設けられている。一例では、遮光部は中空ガラスの片側に設けられ、光透過部は中空ガラスの反対側に設けられる。他の例では、光透過部が中空ガラスの真ん中に設けられ、一対の遮光部が中空ガラスの両サイドに設けられる。遮光関板３は、電気モーターを具備した伝送機構（１，５，６）によってスライド駆動される。【選択図】図１
0003210748.tif 000002
【実用新案登録請求の範囲】
【請求項１】
中空ガラスを備え、前記中空ガラスには遮光部と光透過部があり、前記中空ガラスの中に遮光部と光透過部の間を往復できる遮光関板が設けられている、ことを特徴とする関板式省エネ調光ガラス。
【請求項２】
遮光部は中空ガラスの片側に設けられており、光透過部は中空ガラスの反対側に設けられている、ことを特徴とする請求項１に記載の関板式省エネ調光ガラス。
【請求項３】
光透過部は中空ガラスの真ん中に設けられており、遮光部は中空ガラスの両サイドに設けられている、ことを特徴とする請求項１に記載の関板式省エネ調光ガラス。
【請求項４】
前記遮光関板は中空ガラスの伝送装置に取り付けられており、伝送装置側の伝送動力の入力端子が動力出力設備の動力出力端子と接続されている、ことを特徴とする請求項１に記載の関板式省エネ調光ガラス。
【請求項５】
前記伝送装置には、ベルトと、中空ガラスの両サイドに設けられているベルトを駆動させるベルト車があり、前記動力出力設備は電気モーターを採用し、ベルト車の軸は電気モーターの出力軸と接続されている、ことを特徴とする請求項４に記載の関板式省エネ調光ガラス。
【請求項６】
前記伝送装置には、チェーンと、中空ガラスの両サイドに設けられているチェーンを駆動させるスプロケットがあり、前記動力出力設備は電気モーターを採用し、スプロケットの軸が電気モーターの出力軸と接続されている、ことを特徴とする請求項４に記載の関板式省エネ調光ガラス。
【請求項７】
前記遮光部は、中空ガラスの内面に設けられているカラー釉層、塗装層またはスクラブ層を採用しており、前記遮光関板は、スクラブガラス、乳化ガラス、エンボスガラス、低放射ガラスまたはコーティングガラスを採用している、ことを特徴とする請求項１に記載の関板式省エネ調光ガラス。
【請求項８】
前記電気モーターは中空ガラス横方向のフレームに設置され、電気モーターの出力軸が減速機を通して縦方向の伝動軸の駆動部と接続し、その伝動軸の両端がそれぞれ主動ベルト車と接続し、前記主動ベルト車がブラケットで中空ガラスのフレームに設置されており、中空ガラス横方向の反対側のフレームには、主動ベルト車に対応して受動ベルト車が設置され、主動ベルト車と受動ベルト車との間にはベルトが巻かれており、
遮光関板縦方向の両サイドにベルト固定用のベルトプラテンが設置され，遮光関板縦方向の両端に滑り輪が設置され、前記滑り輪が中空ガラス縦方向の両サイドのＵ型ガイド内に設置されており、
前記フレームと、内側ガラス又は外側ガラスとの間にブチル接着剤が充填されると共に、前記フレームの外側にシール接着剤が設置されており、
前記フレームは、縦断面が矩形のフレームを採用し、該フレーム内に吸湿剤を設置すると共に、該フレームには、吸湿剤を置く場所と中空ガラスの内部空間とをつなぐ吸湿孔が設けられている、ことを特徴とする請求項５に記載の関板式省エネ調光ガラス。
【請求項９】
前記中空ガラスの内面に設けられているカラー釉層は、内側ガラスもしくは外側ガラス、または内外側ガラスを純水で洗浄し、ガラスの大きさでマスク板を製作し、このマスク板をガラスに押さえつけ、スクリーン印刷を行い、印刷完了後ガラスを高温炉に入れて加熱処理を行い、温度が２００℃〜７００℃になったときに五彩染料がガラス板に溶解して一体となったものである、ことを特徴とする請求項７に記載の関板式省エネ調光ガラス。
【請求項１０】
前記電気モーターは微動モーターを採用し、微動電気モーターの電源側はリレーＪ１の制御側トグルスイッチと接続し、微動電気モーターの電源側の反対側はリレーＪ２の制御側トグルスイッチと接続しており、
Ｊ１制御側固定部はそれぞれ、Ｊ２制御側固定部、電源陰極、遮光関板ストローク位置を検出する第一ストロークスイッチ側、遮光関板ストローク位置の反対側を検出する第二ストロークスイッチ側と接続しており、
J1制御側固定部の反対側はそれぞれ、Ｊ２制御側固定部の反対側、電源陽極、関板ＯＦＦスイッチと連動する第一連動スイッチ側、関板ＯＮスイッチと連動する第二連動スイッチの反対側と接続しており、
前記第一ストロークスイッチの反対側はＪ１制御側と接続し、Ｊ１制御の反対側は関板ＯＮスイッチで第一連動スイッチの反対側と接続し、前記第二ストロークスイッチの反対側はＪ２制御側と接続し、Ｊ２制御の反対側は関板ＯＦＦスイッチで第二連動スイッチの反対側と接続している、ことを特徴とする請求項５又は６に記載の関板式省エネ調光ガラス。
【考案の詳細な説明】
【技術分野】
【０００１】
本考案は、中空ガラスの技術分野に属し、とりわけ一種の関板式（又は可動板式）省エネ調光ガラス（機構）に関する。
【背景技術】
【０００２】
現在、多くの建築ではガラスが屋上として採用されており、メリットとして美観と省エネが挙げられる。しかし、不足点も多々あり、例えば夏季になると強い日差しが屋内に直射し、屋内の日射量が多すぎ眩しく、気温も異常に高くなり、屋内にいるスタッフに不快感を与えてしまうことがある。この問題を解決するため、現在一般的な方法としてガラス屋上の下方に日よけシェード、日よけシールまたは日よけ板などを設けるが、このようなやり方では日よけの効果はある一方、視覚効果が悪く建築屋上の造形を変えるだけではなく、重複投資と施工もせざるを得なくなった。一方、冬季になって太陽光を屋内に入れたいとき、日よけシェードを取り除く必要が生じ、これはたくさんの工数、資金とリソースの浪費に繋がる。また、既存の日よけ部品は、プラスチックや布、ＰＶＣ材質のため、老化して損壊しやすく、日光に対するシールド効果が良くない。
【先行技術文献】
【特許文献】
【０００３】
【特許文献１】（特になし）
【考案の概要】
【考案が解決しようとする課題】
【０００４】
本考案の目的は、上述した問題の解決を図り、視覚効果のよい関板式（又は可動板式）省エネ調光ガラス（機構）を提供することにある。
【課題を解決するための手段】
【０００５】
上述した目的を実現するため、本考案では下記の技術案を採用した。即ち、本考案は、中空ガラスを含み、その構造の要点として中空ガラスには遮光部と光透過部があり、中空ガラスの中に遮光部と光透過部の間を往復できる遮光関板（又は遮光可動板）が設けられている。
【０００６】
一つの最適な案として、本考案で述べた遮光部は中空ガラスの片側に設けられており、光透過部は中空ガラスの反対側に設けられている。
【０００７】
もう一つの最適案として、本考案で述べている遮光部は中空ガラスの真ん中に設けられており、光透過部は中空ガラスの両側に設けられている。
【０００８】
もう一つの最適案として、本考案で述べている遮光関板は中空ガラスの伝送装置に取り付けられており、伝送装置側の伝送動力の入力端子が動力出力設備の動力出力端子と接続する。
【０００９】
もう一つの最適案として、本考案で述べている伝送装置には、ベルトと、中空ガラス中の両サイドに設けられているベルトを駆動させるベルト車があり、動力出力設備は電気モーターを採用し、ベルト車の軸が電気モーターの出力軸と接続する。
【００１０】
もう一つの最適案として、本考案で述べている伝送装置には、チェーンと、中空ガラス中の両サイドに設けられているチェーンを駆動させるスプロケットがあり、動力出力設備は電気モーターを採用し、スプロケットの軸が電気モーターの出力軸と接続する。
【００１１】
もう一つの最適案として、本考案で述べている遮光部は、中空ガラスの内面に設けられているカラー釉層、塗装層またはスクラブ層を採用する。
【００１２】
もう一つの最適案として、本考案で述べている遮光関板は、スクラブガラス、乳化ガラス、エンボスガラス、Low-eガラス（低放射ガラス）またはコーティングガラスを採用する。
【００１３】
もう一つの最適案として、本考案で述べている電気モーターは中空ガラス横方向のフレームに設置され、電気モーターの出力軸が減速機を通して縦方向の伝動軸の駆動部と接続し、伝動軸の両端がそれぞれ主動ベルト車と接続し、主動ベルト車がブラケットで中空ガラスのフレームに設置されている。中空ガラス横方向の反対側のフレームには、主動ベルト車に対して受動ベルト車を設置され、主動ベルト車と受動ベルト車との間にベルトが巻かれ、遮光関板縦方向の両サイドにベルト固定用のベルトプラテンを設置され，遮光関板縦方向の両端に滑り輪を設置され、滑り輪が中空ガラス縦方向の両サイドのＵ型ガイド内に設置されている。
【００１４】
もう一つの最適案として、本考案で述べている上述したフレームと、内側ガラス、外側ガラスとの間にブチル接着剤が充填され、フレームの外側にシール接着剤が設置されている。上述したフレームは、縦断面が矩形のフレームを採用し、フレーム内に吸湿剤を設置し、フレームには、吸湿剤を置く場所と中空ガラスの内部空間とをつなぐ吸湿孔が設置される。フレーム周辺はシール剤で閉じ、ガラスの断熱効果を高める。
【００１５】
次に、本考案で述べているカラー釉層の製作工法は次の通りである。即ち、内側ガラスもしくは外側ガラス、または内外側ガラスを純水で洗浄し、ガラスの大きさでマスク板を製作し、マスク板をガラスに押さえつけ、スクリーン印刷を行う。印刷完了後ガラスを高温炉に入れ、加熱処理を行い、温度が２００℃〜７００℃になった時、五彩染料がガラス板に溶解して一体となる。
【００１６】
また、本考案で述べている電気モーターは微動モーターを採用し、微動電気モーターの電源側はリレーＪ１の制御側トグルスイッチと接続し、微動電気モーターの電源側の反対側はリレーＪ２の制御側トグルスイッチと接続している。Ｊ１制御側固定部はそれぞれ、Ｊ２制御側固定部、電源陰極、遮光関板ストローク位置を検出する第一ストロークスイッチ側、遮光関板ストローク位置の反対側を検出する第二ストロークスイッチ側と接続しており、Ｊ１制御側固定部の反対側はそれぞれ、Ｊ２制御側固定部の反対側、電源陽極、関板ＯＦＦスイッチと連動する第一連動スイッチ側、関板ＯＮスイッチと連動する第二連動スイッチの反対側と接続している。第一ストロークスイッチの反対側はＪ１制御側と接続し、Ｊ１制御の反対側は関板ＯＮスイッチで第一連動スイッチの反対側と接続する。第二ストロークスイッチの反対側はＪ２制御側と接続し、Ｊ２制御の反対側は関板ＯＦＦスイッチで第二連動スイッチの反対側と接続する。
【考案の効果】
【００１７】
本考案によれば、中空ガラスの中に遮光部と光透過部の間を往復できる遮光関板が設けられている。日光の照射を要らないときは、遮光関板を光透過部に移動させ、日光の照射を要るときは、遮光関板を遮光部に移動させる。本考案により屋内の明るさと温度を調整することができ、省エネの目的も実現できる。また、視覚効果がよく、多くの人および金の節約ができる。
【００１８】
本考案は、採用した遮光関板が硬質構造で柔軟構造ではないため、遮光関板が他の部品と干渉して動けなくなるようなことは起こらない。
【図面の簡単な説明】
【００１９】
【図１】本考案の一実施例の構造概略図。
【図２】図１の俯瞰図（平面図）。
【図３】本考案のもう一つの実施例の構造概略図。
【図４】図３の俯瞰図（平面図）。
【図５】本考案の電気回路の原理図。
【図６】本考案のＰＶＢ合わせガラスの構造概略図。
【図７】本考案の俯瞰図（平面図）。
【図８】本考案の断面図。
【図９】本考案の遮光関板による光遮断時の構造概略図。
【図１０】本考案の遮光関板による光未遮断時の構造概略図。
【考案を実施するための形態】
【００２０】
以下、図面を参照しつつ具体的実施方法に合わせて本考案をさらに説明する。本考案の保護範囲は下記内容の記述に限定されない。
【００２１】
各図中、１は伝送部品、２は光透過部、３は遮光関板、４は遮光部、５は伝送動力の入力側、６は動力出力設備、７はＴＰＵ接着剤層、８はシランカップリング剤層、９はガラス片、１０はシール密封サポーター、１１はＵ型ガイド、１２は受動ベルト車、１３は金属Ｕ型溝、１４はベルト押さえ板、１５はベルト、１６は伝動軸、１７は減速機と電気モーター、１８は主動ベルト車、１９は滑り輪、２０はブチル接着剤、２１はシール接着剤、２２は吸湿穴、２３は吸湿剤、２４は外側ガラス、２５は内側ガラス、である。
【００２２】
＜具体的実施方式＞
図で示すように、本考案は中空ガラスを含み、中空ガラスには遮光部（４）と光透過部（２）があり、中空ガラスの中に遮光部と光透過部の間を往復できる遮光関板（３）を設けている。遮光部の面積や形状は、必要に応じて決める。光透過部は、四角形、矩形、円形などに設計できる。本考案は、水平に、斜めに、または縦に置ける。上述した中空ガラスの周辺は、シールで閉じる。
【００２３】
上述した遮光部（４）は、中空ガラスの片側に設けられているが、光透過部（２）は中空ガラスの反対側に設けられている（図１，２）。
【００２４】
上述した光透過部（２）は、中空ガラスの真ん中に設けられているが、遮光部（４）は中空ガラスの両サイドに設けられている（図３，４）。
【００２５】
必要に応じて上述した二種類の遮光部、光透過部の設置方式を選ぶ。
【００２６】
上述した遮光関板（３）は、中空ガラス中の伝送装置に取り付けられ、伝送装置側の伝送動力の入力端子（５）が動力出力設備（６）の動力出力端子と接続する。伝送装置、動力出力設備を合わせて使用し、遮光関板の位置を調整する。
【００２７】
上述した伝送装置は、ベルト（１５）と、中空ガラス中の両サイドに設けられているベルトを駆動させるベルト車（１２，１８）があり、動力出力設備は電気モーター（１７）を採用し、ベルト車の軸が電気モーターの出力軸と接続する。
【００２８】
好ましくは、上述した伝送装置には、チェーンと、中空ガラス中の両サイドに設けられているチェーンを駆動させるスプロケットがあり、動力出力設備は電気モーターを採用し、スプロケットの軸が電気モーターの出力軸と接続する。
【００２９】
伝動装置は、タイミングベルト、スプロケット、ワイヤロープなどを使用しても良い。
【００３０】
上述した遮光部（４）は、中空ガラスの内面に設けられているカラー釉層、塗装層またはスクラブ層を採用する。
【００３１】
上述した中空ガラスの内面は、内側ガラス（２５）の内面、または外側ガラス（２４）の内面、または内外側ガラスの内面を指す。
【００３２】
上述した内側ガラスは、ＰＶＢ合わせガラスを採用することができる。
【００３３】
上述した遮光関板（３）は、スクラブガラス、乳化ガラス、エンボスガラス、低放射ガラスまたはコーティングガラスを採用する。遮光関板は、ガラスでないその他材質の関板を採用することが出来る、例えば金属板、五彩板、プラスチック板。遮光関板は多様の色を採用しても良い。遮光関板には、装飾パターンを入れることができる。
【００３４】
上述した電気モーター（１７）は中空ガラス横方向のフレームに設置され、電気モーターの出力軸が減速機を通して縦方向の伝動軸の駆動部と接続し、伝動軸（１６）の両端がそれぞれ主動ベルト車（１８）と接続し、主動ベルト車がブラケットで中空ガラスのフレームに設置される。中空ガラス横方向の反対側のフレームには、主動ベルト車に対して受動ベルト車（１２）を設置され、主動ベルト車と受動ベルト車との間にベルト（１５）が巻かれ、遮光関板縦方向の両サイドにベルト固定用のベルトプラテンを設置され，遮光関板縦方向の両端に滑り輪（１９）を設置され、滑り輪は中空ガラス縦方向の両サイドのＵ型ガイド（１１）内に設置される。
【００３５】
上述したフレームは金属のフレームを採用する。
【００３６】
（図８に示すように）上述したフレームと内側ガラス（２５）、外側ガラス（２４）との間にブチル接着剤（２０）を充填され、フレームの外側にシール接着剤（２１）を設置される。上述したフレームは、縦断面が矩形のフレームを採用し、フレーム内に吸湿剤（２３）を設置し、フレームには吸湿剤を置く場所と中空ガラスの内部空間をつなぐ吸湿孔（２２）が設置される。
【００３７】
上述した電気モーターの電気ケーブルの取り出し方法は、ます内側ガラスを洗浄して水平に置き、電機ケーブルの太さにより相応しいダイヤモンドドリルを使って内側ガラスに孔を開け、穴が出来た後にバリを磨き、内側ガラスに対して洗浄を行い、電気ケーブルをその孔に通し、孔周辺にシール接着剤を埋める。電気ケーブルは、ガラス側面の金属フレームに孔を開けて取り出すこともでき、シール接着剤で閉じれば良い。
【００３８】
上述したカラー釉層の製作工法：内側ガラスまたは外側ガラス、または内外側ガラスを純水で洗浄し、ガラスの大きさでマスク板を製作し、マスク板をガラスに押さえつけ、スクリーン印刷を行う。印刷完了後ガラスを高温炉に入れ、加熱処理を行い、温度が２００℃〜７００℃になった時、五彩染料がガラス板に溶解して一体となる。
【００３９】
カラー釉層は、ガラスカラー釉原料またはセラミックカラー釉原料を採用することにより、カラーが多様化になり、褪色やコーティング剥がれ、老化がしなくなる。これは、従来のペンキと塗装による付着力の弱く、剥がれやすく、老化変色しやすいなどの弱点を克服でき、またサンドブラスト工法によるカラーの単一、美観の悪さも克服できる。なお、遮光関板（３）も上述した工法によって作ることができる。
【００４０】
（図５に示すように）上述した電気モーターは微動モーター（マイクロモーター）を採用し、微動電気モーターの電源側はリレーＪ１の制御側トグルスイッチと接続し、微動電気モーターの電源側の反対側はリレーＪ２の制御側トグルスイッチと接続する。
Ｊ１制御側固定部はそれぞれ、Ｊ２制御側固定部、電源陰極、遮光関板ストローク位置を検出する第一ストロークスイッチ側、遮光関板ストローク位置の反対側を検出する第二ストロークスイッチ側と接続する。
Ｊ１制御側固定部の反対側はそれぞれ、Ｊ２制御側固定部の反対側、電源陽極、関板ＯＦＦスイッチと連動する第一連動スイッチ側、関板ＯＮスイッチと連動する第二連動スイッチの反対側と接続する。
第一ストロークスイッチの反対側はＪ１制御側と接続し、Ｊ１制御の反対側は関板ＯＮスイッチで第一連動スイッチの反対側と接続する。第二ストロークスイッチの反対側はＪ２制御側と接続し、Ｊ２制御の反対側は関板ＯＦＦスイッチで第二連動スイッチの反対側と接続する。ストロークスイッチ、リレー、スイッチを合わせて利用することにより、関板の制御を行い、ご操作（誤操作）を防止する。
【００４１】
（図６に示すように）上述したＰＶＢ合わせガラスは、２枚のガラス片（９）を含み、ガラス片の表目にシランカップリング剤層（８）を施されており、シランカップリング剤層の内側表面がガラス片と接続し、またシランカップリング剤層の外側表面にＴＰＵ接着剤層（７）を施されている。二つのガラス片（９）は、ＴＰＵ接着剤層（７）によって相互に接続してＰＶＢ合わせガラスに形成される。これは、ガラスと高分子間の応力を克服でき、顕著に引っ張りと圧縮強度を増加させ、製品の良品率を向上させることができる。
【００４２】
以下、添付図に合わせて本考案の動作とプロセスを説明する。
【００４３】
日射が強いときは、マイクロ電気モーターに信号を与え、遮光関板（３）を光透過部（２）へ移動させ、窓が次第に順番に閉まり、日光が次第に遮断され、遮光関板を透過した日光が柔らかに屋内に入り、明るいが眩しくなく、これによって室内温度を合理的に制御でき、人体に快適さをもたらすと同時に空調費用および電気代の節約に繋がる。一方、日光を屋内に入れたいとき、例えば早朝と夕方にマイクロ電気モーターに反対動作の信号を与え、マイクロ電気モーターを反転させ、真ん中の遮光関板（３）が次第に最初の状態に戻って遮光部（４）に戻り、日光が室内に入って屋内を明るくする。このように、ガラス屋上の機能を最大限に利用でき、建築設計との完璧な融合ができる。
【００４４】
本考案は、単独制御しても良いが、全体のネットワーク制御および自動制御も実現することができる。
【００４５】
本考案は、窓ガラスとして日光の需要に応じて調整でき、またプライバシー保護の必要な建築窓に取り付けることができる。
【００４６】
上述した考案に関する具体的説明に関して、本考案を説明するだけの目的であり本考案の実施例で記述した技術案に限られるものではないことを理解して頂きたい。また、本分野の一般技術者は、同等な技術効果を達成するため、理解できることを前提に本考案に対して修正または同等レベルの置き換えをすることができる。実際に使用目的を満足するものであれば、全ては本考案の保護範囲になる。
【符号の説明】
【００４７】
１  伝送部品
２  光透過部
３  遮光関板
４  遮光部
５  伝送動力の入力側
６  動力出力設備
７  ＴＰＵ接着剤層
８  シランカップリング剤層
９  ガラス片
１０  シール密封サポーター
１１  Ｕ型ガイド
１２  受動ベルト車
１３  金属Ｕ型溝
１４  ベルト押さえ板
１５  ベルト（又はチェーン）
１６  伝動軸
１７  減速機と電気モーター（微動モーター、マイクロモーター）
１８  主動ベルト車
１９  滑り輪
２０  ブチル接着剤
２１  シール接着剤
２２  吸湿穴
２３  吸湿剤
２４  外側ガラス
２５  内側ガラス
【図１】
0003210748.tif 000003
【図２】
0003210748.tif 000004
【図３】
0003210748.tif 000005
【図４】
0003210748.tif 000006
【図５】
0003210748.tif 000007
【図６】
0003210748.tif 000008
【図７】
0003210748.tif 000009
【図８】
0003210748.tif 000010
【図９】
0003210748.tif 000011
【図１０】
0003210748.tif 000012